(57)【要約】      （修正有）【課題】持ち運び、組み立て、廃棄等が容易であって、必要なときのみ使用できるカプセル払出装置を提供する。【解決手段】カプセル払出装置１０は、多数のカプセルＣを収容可能な箱本体１２内に、複数のカプセル保持部ＨＡ〜ＨＥを有する回転盤６０が回転可能に支持されている。箱本体底面と回転盤６０の間には支持台が設けられ、該支持台には、カプセルＣが通過可能な落下口と、カプセルＣを箱本体１２の外部に払い出す排出路３４が設けられている。支持体上面は、落下口と位置が一致していないカプセル収容部の下部開口を覆っている。落下口の上方、かつ、回転盤６０の上方には、落下口と位置が一致しているカプセル保持部に、他のカプセルＣが入らないように規制する斜面９０が設けられている。カプセル払出装置１０は、全体が紙（ダンボールを含む）で形成されている。【選択図】図１
0003193539.tif 000002
【実用新案登録請求の範囲】
【請求項１】
多数のカプセルを収容可能であって、前記カプセルの投入口を有する箱本体と、
該箱本体の内部に、該箱本体の底面に対して略平行かつ回転可能に支持されており、上下方向に所定の厚みを有する回転盤と、
該回転盤を上下に貫通しており、前記カプセルを一つ収容可能な形状及び寸法を有する複数のカプセル保持部と、
前記箱本体の底面と前記回転盤の間に配置されており、前記カプセル保持部と位置が一致したときに、該カプセル保持部に収容されているカプセルを、前記箱本体の外部に払い出す払出手段と、
前記回転盤を回転させるための回転機構と、
前記箱本体の内部であって、前記払出手段と位置が一致するカプセル保持部上に配置されており、該カプセル保持部に他のカプセルが入ることを防止する規制手段と、
前記箱本体に投入されたカプセルを、前記回転盤上へガイドする案内手段と、
を備えるとともに、
全体を紙で形成したことを特徴とするカプセル払出装置。
【請求項２】
前記払出手段が、
前記回転盤の回転によって、所定の位置に達したカプセル保持部に収容されているカプセルが通過可能な落下口と、
該落下口と位置が一致していないカプセル保持部からのカプセルの落下を防止する遮蔽手段と、
前記落下口を通過したカプセルを、前記箱本体の外部に払い出す排出路と、
を有することを特徴とする請求項１記載のカプセル払出装置。
【請求項３】
前記回転機構が、
前記箱本体の側面の一つを、略水平方向に貫通する回転可能な伝達軸と、
該伝達軸の前記箱の外側の端部に形成された操作用ダイヤルと、
前記伝達軸の前記箱の内側の端部に設けられており、外周に複数の第１の歯を有する歯車と、
前記回転盤を回転可能に支持する支持軸と、
前記回転盤の外周縁に形成されており、前記伝達軸の歯車の第１の歯と噛み合う第２の歯と、
によって形成されていることを特徴とする請求項１又は２記載のカプセル払出装置。
【請求項４】
前記規制手段が、
前記箱本体の側面内側から、前記回転盤側へ向けて突出しており、前記払出手段と位置が一致しているカプセル保持部の上方の一部を遮蔽する邪魔板を有することを特徴とする請求項１〜３のいずれか一項に記載のカプセル払出装置。
【請求項５】
前記邪魔板が、
前記箱本体の内側から、前記回転盤側へ向けて低くなるように傾斜することで、
該邪魔板が、前記案内手段の一部を構成することを特徴とする請求項４記載のカプセル払出装置。
【考案の詳細な説明】
【技術分野】
【０００１】
本考案は、ゲームの景品などのカプセルを払い出すためのカプセル払出装置に関するものである。
【背景技術】
【０００２】
ゲームの景品等が収容されたカプセルを払い出す装置としては、例えば、下記特許文献１に記載の自動販売機がある。当該技術によれば、操作子の操作によって商品保持部材を動作させて商品保持孔と商品排出孔を合致させ、商品保持孔に保持されている商品を、該商品排出孔を通じて排出する自動販売機において、空打ち防止機構を排出待機位置近くに設けることで、いわゆる空打ちを確実に防止し、自己回復機構を持たせるようになっている。
【先行技術文献】
【特許文献】
【０００３】
【特許文献１】特開２００７−３４６０３号公報
【考案の概要】
【考案が解決しようとする課題】
【０００４】
しかしながら、上述した特許文献１に示すような従来の技術では、通常、カプセル払出装置は、筐体がプラスチック製であり、持ち運びが容易というわけではない。例えば、常時設置せず、イベント等のときだけ使用したい場合であっても、使用後には廃棄せず、持ち帰らなければならない。また、上述した背景技術では、通常、硬貨の投入と引き換えにダイヤルやレバーが回せるようになっているため、構造が複雑になりやすく、また、硬貨の投入なしでダイヤル等を回すことができるような簡易な構成とはなっていない。
【０００５】
本考案は、以上のような点に着目したもので、持ち運びしやすく、必要なときのみ使用でき、廃棄等も容易であって、簡単に組み立て可能なカプセル払出装置を提供することを、その目的とする。
【課題を解決するための手段】
【０００６】
本考案は、多数のカプセルを収容可能であって、前記カプセルの投入口を有する箱本体と、該箱本体の内部に、該箱本体の底面に対して略平行かつ回転可能に支持されており、上下方向に所定の厚みを有する回転盤と、該回転盤を上下に貫通しており、前記カプセルを一つ収容可能な形状及び寸法を有する複数のカプセル保持部と、前記箱本体の底面と前記回転盤の間に配置されており、前記カプセル保持部と位置が一致したときに、該カプセル保持部に収容されているカプセルを、前記箱本体の外部に払い出す払出手段と、前記回転盤を回転させるための回転機構と、前記箱本体の内部であって、前記払出手段と位置が一致するカプセル保持部上に配置されており、該カプセル保持部に他のカプセルが入ることを防止する規制手段と、前記箱本体に投入されたカプセルを、前記回転盤上へガイドする案内手段と、を備えるとともに、全体を紙（ダンボールを含む）で形成したことを特徴とする。
【０００７】
主要な形態の一つは、前記払出手段が、前記回転盤の回転によって、所定の位置に達したカプセル保持部に収容されているカプセルが通過可能な落下口と、該落下口と位置が一致していないカプセル保持部からのカプセルの落下を防止する遮蔽手段と、前記落下口を通過したカプセルを、前記箱本体の外部に払い出す排出路と、を有することを特徴とする。
【０００８】
他の形態は、前記回転機構が、前記箱本体の側面の一つを、略水平方向に貫通する回転可能な伝達軸と、該伝達軸の前記箱の外側の端部に形成された操作用ダイヤルと、前記伝達軸の前記箱の内側の端部に設けられており、外周に複数の第１の歯を有する歯車と、前記回転盤を回転可能に支持する支持軸と、前記回転盤の外周縁に形成されており、前記伝達軸の歯車の第１の歯と噛み合う第２の歯と、によって形成されていることを特徴とする。
【０００９】
更に他の形態は、前記規制手段が、前記箱本体の側面内側から、前記回転盤側へ向けて突出しており、前記払出手段と位置が一致しているカプセル保持部の上方の一部を遮蔽する邪魔板を有することを特徴とする。更に他の形態は、前記邪魔板が、前記箱本体の内側から、前記回転盤側へ向けて低くなるように傾斜することで、該邪魔板が、前記案内手段の一部を構成することを特徴とする。本考案の前記及び他の目的，特徴，利点は、以下の詳細な説明及び添付図面から明瞭になろう。
【考案の効果】
【００１０】
本考案によれば、多数のカプセルを収容可能な箱本体内に、カプセルを一つ収容可能なカプセル保持部が複数形成された回転盤を、回転可能に支持し、前記箱本体の底面と前記回転盤の間に、前記カプセル保持部と位置が一致したときに、該カプセル保持部に収容されているカプセルを箱本体の外部に払い出す払出手段を設ける。そして、該払出手段と位置が一致しているカプセル保持部に、他のカプセルが入らないように規制する規制手段と、前記箱本体に投入されたカプセルを前記回転盤上へガイドする案内手段を設けるとともに、カプセル払出装置の全体を紙で形成することとした。このため、カプセルを確実に一つずつ払い出すことができ、かつ、持ち運びしやすく、必要なときのみ使用でき、廃棄等も容易であって、組み立ても容易である。
【図面の簡単な説明】
【００１１】
【図１】本考案のカプセル払出装置の実施例１の全体構成を示す外観斜視図である。
【図２】前記実施例１のカプセル払出装置の組立工程の一例を示す図である。
【図３】前記実施例１のカプセル払出装置の組立工程の一例を示す図である。
【図４】前記実施例１のカプセル払出装置の組立工程の一例を示す図である。
【図５】前記実施例１の作用を示す図である。
【考案を実施するための形態】
【００１２】
以下、本考案を実施するための最良の形態を、実施例に基づいて詳細に説明する。
【実施例１】
【００１３】
最初に、図１〜図５を参照しながら本考案の実施例１を説明する。図１は、本実施例のカプセル払出装置の全体構成を示す外観斜視図である。図２〜図４は、本実施例のカプセル払出装置の組立工程の一例を示す図である。図５は、本実施例の作用を示す図である。図１に示すように、本実施例のカプセル払出装置１０は、多数のカプセルＣを収容可能な箱本体１２と、回転盤６０及びその回転機構と、前記回転盤６０に形成されたカプセル保持部ＨＡ〜ＨＥと、カプセルＣを外部に払い出す排出路３４と、ガイド部７６と、規制部材８４とによって構成されている。前記各部は、カプセルＣを除いて、厚紙やダンボールなどの紙素材によって形成されている。なお、カプセルＣは、例えば、透明な樹脂等により略球状に形成されており、開閉可能であって、内部に景品等が収納されている。
【００１４】
前記箱本体１２は、図示の例では略直方体状であって、開閉可能な上部と、底面１６（図２(B)参照）と、側面１２Ａ〜１２Ｄを有している。前記上部は、開口したときに、多数のカプセルＣを投入する投入口１４となり、例えば、図４(A)に示すフラップ１５Ａ，１５Ｂ等によって開閉可能となっている。図示の例では、前記側面１２Ａに、カプセルＣを外部に払い出すための払出口１８と、後述する回転機構の伝達軸４４を通すための穴２０が形成されている。
【００１５】
次に、前記回転盤６０は、本実施例では、３枚の円板６２，６４，６６を所定の間隔で重ねて側面６８(図２(C)参照)）を設けた構造となっており、上下方向に所定の厚みを有している。上層の円板６２は、中心に穴６２Ｆを有し、その周囲に、複数（図示の例では５つ）の穴６２Ａ〜６２Ｅを有している。中央の円板６４も、中心に穴６４Ｆを有し、その周囲に複数の穴６４Ａ〜６４Ｅを有し、下層の円板６６も、中心に穴６６Ｆを有し、その周囲に複数の穴６６Ａ〜６６Ｅを有している。前記中央の穴６２Ｆ，６４Ｆ，６６Ｆには、前記回転盤６０を回転可能に支持するための支持軸５０が挿通される。
【００１６】
また、前記穴６２Ａ，６４Ａ，６６Ａの位置を合わせることで、前記回転盤６０を上下方向に貫通したカプセル保持部ＨＡが形成される。他の穴についても同様に、穴６２Ｂ，６４Ｂ，６６Ｂによりカプセル保持部ＨＢが形成され、穴６２Ｃ，６４Ｃ，６６Ｃによりカプセル保持部ＨＣが形成され、穴６２Ｄ，６４Ｄ，６６Ｄによってカプセル保持部ＨＤが形成され、穴６２Ｅ，６４Ｅ，６６Ｅによりカプセル保持部ＨＥが形成される。これらの保持部ＨＡ〜ＨＥは、一つのカプセルＣが完全に収容される寸法及び大きさに設定されているが、保持部ＨＡ〜ＨＥにカプセルＣが一つ収容されていても、箱本体１２には多数のカプセルＣが収容されているため、これらカプセル保持部ＨＡ〜ＨＥの真上に、他のカプセルＣが位置する状態も当然に生じ得る。
【００１７】
前記回転盤６０と箱本体１２の底面１６の間には、図２(B)に示すように、支持台３０が設けられる。図示の例では、該支持台３０は、略直方体状であって、上面３０Ａの中央には、前記支持軸５０を挿通可能な穴３２を有している。また、前記支持台３０の内側には、前記上面３０Ａから底面３０Ｂにかけて、カプセルＣを箱本体１２の外部に払い出すための排出路３４が形成されている。該排出路３４の一端側の上部には、カプセルＣの落下口３６となる穴が形成されており、他方の端部３７は、支持台３０の側面で開口している。前記回転盤６０の回転により、前記カプセル保持部ＨＡ〜ＨＥと前記落下口３６の位置が一致すると、前記カプセル保持部ＨＡ〜ＨＥ内に収容されているカプセルＣが落下口３６から排出路３４に落ち、払出口１８から外部に払い出される。なお、前記排出路３４は、カプセルＣの払い出しを容易にするために、図４(B)に示すように、払出口１８側が低くなるように、若干の傾斜が設けられている。
【００１８】
次に、前記回転盤６０の回転機構について説明する。前記回転盤６０を構成する上層の円板６２の外周には、多数の歯７０が所定間隔で形成されている。一方、前記箱本体１２の側面１２Ａの穴２０を略水平方向に貫通するように、伝達軸４２が設けられている。該伝達軸４２の一方の端部（箱本体１２の外側の端部）には、回転操作をするためのダイヤル４４が設けられている。また、前記伝達軸４２の他方の端部（箱本体１２の内側の端部）には、前記歯７０と噛み合う複数の歯４８を有する歯車４６が設けられている。なお、前記伝達軸４２は、前記箱本体１２内の支持台３０の側端側に設けられた下側の軸受部材３８の曲面部４０（図３(A)参照）と、上側の軸受部材７２の曲面部７４(図４(A)参照)によって、回転可能に支持されている。
【００１９】
前記ガイド部７６は、前記箱本体１２内に投入されたカプセルＣを、前記回転盤６０上へガイドするためのものであり、本実施例では、図４(A)に示すように、２つのガイド部７８，８０を、連結部８２で連結した構造となっている。前記ガイド部７８，８０は、上部に、略三角形の斜面７８Ａ，８０Ａを有している。そして、これら斜面７８Ａ，８０Ａの下側の縁７８Ｂ，８０Ｂを前記回転盤６０側へ向くように箱本体１２内にセットすることで、カプセルＣを回転盤６０へ案内することができる。
【００２０】
前記箱本体１２の内部であって、前記ガイド部７６と対向する側面には、前記規制部材８４が設けられている。該規制部材８４は、前記落下口３６の上方に配置されており、該落下口３６と位置が一致したカプセル収容部ＨＡ〜ＨＥに、他のカプセルＣが入り込まないようにするためのものである。前記規制部材８４は、本実施例では、図４(A)に示すように、一対の側面８６Ａ，８６Ｂと、背面８８と、斜面９０と、折り曲げ部９２により構成されている。前記斜面９０は、箱本体１２の側面内側から、前記回転盤６０側へ向けて突出しており、その縁部９０Ａが、前記カプセル保持部ＨＡ〜ＨＥの上部開口の一部を遮蔽することで、前記カプセル保持部ＨＡ〜ＨＥに他のカプセルＣが入り込むのを防止する。また、本実施例では、前記斜面９０の縁部９０Ａ側が前記回転盤６０側へ向けて低くなるように傾斜しているため、箱本体１２内に投入されたカプセルＣを回転盤６０上へガイドする。すなわち、前記斜面９０は、邪魔板としての機能を有するとともに、カプセルＣのガイド手段も兼ねている。
【００２１】
次に、図２〜図４を参照して、本実施例のカプセル払出装置１０の組立手順の一例を説明する。まず、図２(A)に示すように、箱本体１２に、排出路３４の端部３７と前記払出口１８が一致するように、前記支持台３０を収納する。そして、図２(B)に示すように、前記支持台３０の中央の穴３２に支持軸５０を差し込むとともに、該支持軸５０の内側に、断面略十字状の芯５２を差し込む。該芯５２は強度を補強するためのものであって、必要に応じて設けるようにすればよい。そして、図２(C)に示すように、上述した構造を有する回転盤６０の穴６２Ｆ，６４Ｆ，６６Ｆに前記支持軸５０が通るように、前記回転盤６０を取り付ける。
【００２２】
その後、図３(A)に示すように、前記支持台３０に前記軸受部材３８を取り付けるとともに、伝達軸４２を穴２０に通す。前記支持台３０と軸受部材３８は、図示しないスリットと該スリットに差し込まれる突出片等により簡易に固定される。また、前記伝達軸４２は、ダイヤル４４は取り外しておき、箱本体１２の内側から、前記穴２０に通す。そして、図３(B)に示すように、箱本体１２の外側から、前記伝達軸４２の端部に前記ダイヤル４４を取り付け、円板６２の歯７０と、伝達軸４２側の歯車４６の歯４８を噛み合わせる。これにより、伝達軸４２の回転が、前記回転盤６０に伝達し、カプセル保持部ＨＡ〜ＨＥと前記落下口３６の位置を合わせることができる。
【００２３】
そして、図４(A)に示すように、前記下側の軸受部材３８の上に、上側の軸受部材７２を乗せて、曲面部４０，７４で伝達軸４２を回転可能に支持する。なお、下側の軸受部材３８と上側の軸受部材７２も、図示しないスリットと、該スリットに差し込まれる突出片等により簡易に固定される。次に、前記ガイド部７６を、斜面７８Ａ，８０Ａの下縁７８Ｂ，８０Ｂが回転盤６０側を向くようにセットする。また、前記規制部材８４を、前記斜面９０の縁部９０Ａ側が回転盤６０側を向き、かつ、前記斜面９０及び折り曲げ部９２が、前記回転盤６０の上層の円板６２より上方にくるように、箱本体１２内にセットする。これにより、図４(B)に示すように、カプセル払出装置１０の組立が完了する。
【００２４】
次に、図５も参照して、本実施例の作用を説明する。上述したように組み立てたカプセル払出装置１０の箱本体１２の内部に、投入口１４から多数のカプセルＣを投入する（図１参照）。投入されたカプセルＣは、前記ガイド部７６や規制部材８４の斜面９０によって、回転盤６０上へガイドされ、カプセル保持部ＨＡ〜ＨＥに入り込む。カプセルＣを箱本体１２内に投入した時点で、カプセル保持部ＨＡ〜ＨＥの全てにカプセルＣが収容されなかったとしても、ダイヤル４４を回し、伝達軸４２及び歯車４６を介して回転盤６０を回転させているうちに、積み重なったカプセルＣの山が崩れ、カプセル保持部ＨＡ〜ＨＥにカプセルＣが収容される。
【００２５】
前記回転盤６０は、前記支持台３０の上に載置されているため、前記支持台３０に形成された落下口３６と位置が一致しない限り、支持体３０の上面３０Ａによって、カプセル保持部ＨＡ〜ＨＥの下側開口が塞がれ、カプセルＣが排出路３４に落下することはない。図５(A-2)には、カプセル保持部ＨＡと落下口３６が重なる直前の様子が示されている。また、図５(A-2)を＃Ａ−＃Ａ線に沿って切断し矢印方向に見た断面が図５(A-1)に示されている。これらの図に示すように、カプセル保持部ＨＡにカプセルＣ１が一つ収容された状態で回転盤６０を回転させていっても、前記カプセル保持部ＨＡと前記落下口３６の位置が一致するまでは、前記カプセルＣ１は、カプセル保持部ＨＡに収容された状態のままである。
【００２６】
しかし、図５(A-2)に矢印Ｆ５で示すように回転を続けると、図５(B-2)に示すように、カプセル保持部ＨＡと落下口３６の位置が一致し、図５(B-1)に示すように、カプセル保持部ＨＡ内に保持されていた一つのカプセルＣ１が、排出路３４に落下する。図５(B-1)は、前記図５(B-2)を＃Ｂ−＃Ｂ線に沿って切断し矢印方向に見た断面図である。このとき、前記規制部材８４がないと、前記カプセルＣ１が排出路３４に落下した後、カプセル保持部ＨＡの空いた空間に、他のカプセルＣ２が入り込み、カプセルＣが連続して落下してしまうおそれがある。そこで、本実施例では、前記落下口３６の上方かつ、前記回転盤６０の上方に斜面９０が位置するように規制部材８４を配置し、図５(B-1)に示すように、カプセル保持部ＨＡと落下口３６の位置が一致している間、他のカプセルＣ２が前記カプセル保持部ＨＡに入り込まないように規制している。これにより、確実にカプセルＣを一つずつ払い出すことができる。このようなカプセル払出装置１０は、例えば、イベント会場等に持ち込んでから、組み立てるようにしてもよい。また、使用後も、分解して搬出してもよい。
【００２７】
このように、実施例１によれば、多数のカプセルＣを収容可能な箱本体１２内に、カプセルを一つ収容可能なカプセル保持部ＨＡ〜ＨＥが複数形成された回転盤６０を回転可能に支持し、前記箱本体１２の底面１６と前記回転盤６０の間に、前記カプセル保持部ＨＡ〜ＨＥと位置が一致したときに、該カプセル保持部ＨＡ〜ＨＥに収容されているカプセルＣを箱本体１２の外部に払い出す排出路３４を設ける。そして、前記排出路３４と位置が一致している状態のカプセル保持部に、他のカプセルＣが入り込まないように規制部材８４の斜面９０で規制するとともに、ガイド部７６によりカプセルＣを回転盤６０上へガイドすることとし、カプセル以外の構成部材を紙で形成することとした。このため、次のような効果がある。
(1)前記斜面９０で規制することにより、カプセルＣを一つずつ確実に払い出すことができる。
(2)全体が紙（ダンボールを含む）で構成されているため、持ち運びしやすく、必要なときのみ使用でき、廃棄等も容易であって、組み立ても容易である。使い捨て等も可能である。
(3)前記斜面９０が、回転盤６０上へカプセルＣをガイドするガイド部材を兼ねるため、規制部材８４側へ別途ガイド部材を用意する必要がない。
【００２８】
なお、本考案は、上述した実施例に限定されるものではなく、本考案の要旨を逸脱しない範囲内において種々変更を加え得ることができる。例えば、以下のものも含まれる。
(1)前記実施例で示した形状，寸法は一例であり、必要に応じて適宜変更してよい。
(2)前記実施例で示した回転盤６０も一例であり、図示の例では、３枚の円板６２〜６６からなる構造としたが、これも一例であり、同様の作用・効果を奏する範囲内で適宜設計変更可能である。
(3)前記カプセル保持部ＨＡ〜ＨＥも一例であり、その数は適宜増減してよい。また、前記実施例では、カプセル保持部ＨＡ〜ＨＥには、一つのカプセルＣのみが完全に収容可能な形状・寸法としたが、これも一例であり、二つ以上のカプセルＣを収容可能な構成とすることを妨げるものではない。
【００２９】
(4)前記実施例で示したガイド部７６の形状等も一例であり、同様の効果を奏する範囲内で適宜設計変更してよい。また、前記実施例では、前記ガイド部７６と対向する側は、規制部材８４がガイド部も兼ねることとしたが、これも一例であり、規制部材８４とは別にガイド部を設けるようにしてもよい。
(5)前記実施例で示した伝達軸４２の支持機構も一例であり、同様の作用・効果を奏する範囲内で適宜設計変更可能である。
(6)前記実施例で示した組立手順は一例であり、必要に応じて適宜変更してよい。また、カプセル払出装置１０を組み立ててから使用する場所へ運ぶか、使用する場所へ各部材を運んで組み立てるかも任意である。
(7)本実施例のカプセル払出装置１０は、紙を用いて形成しているため、一定期間の使用後廃棄するようにしてもよいが、使い捨て以外の用途に用いることを妨げるものではない。
【産業上の利用可能性】
【００３０】
本考案によれば、多数のカプセルを収容可能な箱本体内に、カプセルを一つ収容可能なカプセル保持部が複数形成された回転盤を、回転可能に支持し、前記箱本体の底面と前記回転盤の間に、前記カプセル保持部と位置が一致したときに、該カプセル保持部に収容されているカプセルを箱本体の外部に払い出す払出手段を設ける。そして、該払出手段と位置が一致しているカプセル保持部に、他のカプセルが入らないように規制する規制手段と、前記箱本体に投入されたカプセルを前記回転盤上へガイドする案内手段を設けるとともに、カプセル払出装置の全体を紙で形成することとした。このため、ゲームの景品等を封入したカプセルの払出装置の用途に適用できる。特に、イベント等の一定期間のみ使用するような場合に好適である。
【符号の説明】
【００３１】
１０：カプセル払出装置
１２：箱本体
１２Ａ〜１２Ｄ：側面
１４：投入口
１５Ａ，１５Ｂ：フラップ
１６：底面
１８：払出口
２０：穴
３０：支持台
３０Ａ：上面
３０Ｂ：底面
３２：穴
３４：排出路
３６：落下口
３７：端部
３８：軸受部材
４０：曲面部
４２：伝達軸
４４：ダイヤル
４６：歯車
４８：歯
５０：支持軸
５２：芯
６０：回転盤
６２，６４，６６：円板
６２Ａ〜６２Ｆ，６４Ａ〜６４Ｆ，６６Ａ〜６６Ｆ：穴
６８：側面
７０：歯
７２：軸受部材
７４：曲面部
７６：ガイド部
７８，８０：ガイド部
７８Ａ，８０Ａ：斜面
７８Ｂ，８０Ｂ：下縁
８２：連結部
８４：規制部材
８６Ａ，８６Ｂ：側面
８８：背面
９０：斜面
９０Ａ：縁部
９２：折り曲げ部
Ｃ，Ｃ１，Ｃ２：カプセル
ＨＡ〜ＨＥ：カプセル保持部
【図１】
0003193539.tif 000003
【図２】
0003193539.tif 000004
【図３】
0003193539.tif 000005
【図４】
0003193539.tif 000006
【図５】
0003193539.tif 000007